(57)【要約】【課題】  伝送路中での波長多重光信号の各光信号の伝送品質を簡易にモニタすることを可能とする。【解決手段】  複数種別（ビットレート・プロトコル）の光信号で構成された波長多重光信号の送受信機能を有する波長多重ノード装置１０、３０と、波長多重ノード装置間を接続する光伝送路１と、光増幅中継器２０とを有する光ネットワークシステムにおいて、前記光増幅中継器は、該光増幅中継器を通過する光信号の一部を分岐する光カプラ２０１と、分岐された光信号のうち任意の光信号を選択する波長可変光フィルタ２０２と、プログラムのダウンロードにより複数種別の光信号を受信する機能を有するマルチレートインターフェース装置２０３とを有し、該マルチレートインターフェース装置は、前記波長可変光フィルタにより選択された光信号の伝送品質をモニタする。【選択図】    図２
2005341161.tif 000002
【特許請求の範囲】
【請求項１】
複数種別（ビットレート・プロトコル）の光信号で構成された波長多重光信号の送受信機能を有する波長多重ノード装置と、波長多重ノード装置間を接続する光伝送路と、光伝送路中での光損失を補償する光増幅中継器とを有する光ネットワークシステムにおいて、
前記光増幅中継器は、
前記光増幅中継器を通過する光信号の一部を分岐する光分岐手段と、
前記光分岐手段により分岐された光信号のうち任意の光信号を選択する光信号選択手段と、
プログラムのダウンロードにより複数種別の光信号を受信する機能を有するマルチレートインターフェース装置とを有し、
該マルチレートインターフェース装置は、前記光信号選択手段により選択された光信号の伝送品質をモニタすることを特徴とする光ネットワークシステム。
【請求項２】
複数種別（ビットレート・プロトコル）の光信号で構成された波長多重光信号の送受信機能を有する波長多重ノード装置と、波長多重ノード装置間を接続する光伝送路と、光伝送路中で波長多重信号の分岐・挿入を行う光分岐挿入装置とを有する光ネットワークシステムにおいて、
前記光分岐挿入装置は、
該光分岐挿入装置を通過する光信号の一部を分岐する光分岐手段と、
前記光分岐手段により分岐された光信号のうち任意の光信号を選択する光信号選択手段と、
プログラムのダウンロードにより複数種別の光信号を受信する機能を有するマルチレートインターフェース装置と、
光伝送路中で光多重信号信号から光信号を分岐し、または光信号を挿入するＯＡＤＭ光スイッチと、
前記ＯＡＤＭ光スイッチにより分岐された光信号を下部伝送路に送出し、下部伝送路から入力された光信号をＯＡＤＭ光スイッチに送出するアド／ドロップ送受信装置とを有し、
前記マルチレートインターフェース装置は、前記光信号選択手段により選択された光信号の伝送品質をモニタすることを特徴とする光ネットワークシステム。
【請求項３】
前記マルチレートインターフェース装置は、
あるプロトコルに対応するダウンロード済みプログラムに対して、モニタを行う複数の波長の光信号を、前記光信号選択手段を介して順次、取り込んで、伝送品質のモニタを行い、次いでプロトコルの解析ができなかった波長の光信号に対して対応する別のプログラムを再度ダウンロードし、残った波長の光信号を、再び前記光信号選択手段を介して順次、取り込んで伝送品質モニタを行い、この処理を伝送すべき前記複数の波長の光信号についてプロトコル解析ができるまで繰り返すことを特徴とする請求項１または２のいずれかに記載の光ネットワークシステム。
【請求項４】
前記光分岐挿入装置は、
前記ＯＡＤＭ光スイッチと、マルチレートインターフェース装置またはアド／ドロップ送受信装置との間の接続を切り替える第１の光スイッチと、
前記マルチレートインターフェース装置またはアド／ドロップ信号送受信装置と、下部伝送路との間の接続を切り替える第２の光スイッチとを有し、
前記アド／ドロップ信号送受信装置が故障した際、マルチプロトコルインターフェース装置による伝送品質モニタおよび下部伝送路からの警報信号により故障した前記アド／ドロップ信号送受信装置を特定し、その予備装置として前記」マルチプロトコルインターフェース装置を使用することを特徴とする請求項２に記載の光ネットワークシステム。
【請求項５】
複数種別（ビットレート・プロトコル）の光信号で構成された波長多重光信号の送受信機能を有する波長多重ノード装置と、波長多重ノード装置間を接続する光伝送路と、光伝送路中での光損失を補償する光増幅中継器とを有する光ネットワークシステムの光増幅中継器において、
該光増幅中継器は、
前記光増幅中継器を通過する光信号の一部を分岐する光分岐手段と、
前記光分岐手段により分岐された光信号のうち任意の光信号を選択する光信号選択手段と、
プログラムのダウンロードにより複数種別の光信号を受信する機能を有するマルチレートインターフェース装置とを有し、
該マルチレートインターフェース装置は、前記光信号選択手段により選択された光信号の伝送品質をモニタすることを特徴とする光ネットワークシステムの光増幅中継器。
【請求項６】
複数種別（ビットレート・プロトコル）の光信号で構成された波長多重光信号の送受信機能を有する波長多重ノード装置と、波長多重ノード装置間を接続する光伝送路と、光伝送路中で波長多重信号の分岐・挿入を行う光分岐挿入装置とを有する光ネットワークシステムの光分岐挿入装置において、
該光分岐挿入装置は、
該光分岐挿入装置を通過する光信号の一部を分岐する光分岐手段と、
前記光分岐手段により分岐された光信号のうち任意の光信号を選択する光信号選択手段と、
プログラムのダウンロードにより複数種別の光信号を受信する機能を有するマルチレートインターフェース装置と、
光伝送路中で光多重信号信号から光信号を分岐し、または光信号を挿入するＯＡＤＭ光スイッチと、
前記ＯＡＤＭ光スイッチにより分岐された光信号を下部伝送路に送出し、下部伝送路から入力された光信号をＯＡＤＭ光スイッチに送出するアド／ドロップ送受信装置とを有し、
前記マルチレートインターフェース装置は、前記光信号選択手段により選択された光信号の伝送品質をモニタすることを特徴とする光ネットワークシステムの光分岐挿入装置。
【請求項７】
前記マルチレートインターフェース装置は、
あるプロトコルに対応するダウンロード済みプログラムに対して、モニタを行う複数の波長の光信号を、前記光信号選択手段を介して順次、取り込んで、伝送品質のモニタを行い、次いでプロトコルの解析ができなかった波長の光信号に対して対応する別のプログラムを再度ダウンロードし、残った波長の光信号を、再び前記光信号選択手段を介して順次、取り込んで伝送品質モニタを行い、この処理を伝送すべき前記複数の波長の光信号についてプロトコル解析ができるまで繰り返すことを特徴とする請求項５に記載の光ネットワークシステムの光増幅中継器。
【請求項８】
前記マルチレートインターフェース装置は、
あるプロトコルに対応するダウンロード済みプログラムに対して、モニタを行う複数の波長の光信号を、前記光信号選択手段を介して順次、取り込んで、伝送品質のモニタを行い、次いでプロトコルの解析ができなかった波長の光信号に対して対応する別のプログラムを再度ダウンロードし、残った波長の光信号を、再び前記光信号選択手段を介して順次、取り込んで伝送品質モニタを行い、この処理を伝送すべき前記複数の波長の光信号についてプロトコル解析ができるまで繰り返すことを特徴とする請求項６に記載の光ネットワークシステムの光分岐挿入装置。
【請求項９】
前記光分岐挿入装置は、
前記ＯＡＤＭ光スイッチと、マルチレートインターフェース装置またはアド／ドロップ送受信装置との間の接続を切り替える第１の光スイッチと、
前記マルチレートインターフェース装置またはアド／ドロップ信号送受信装置と、下部伝送路との間の接続を切り替える第２の光スイッチとを有し、
前記アド／ドロップ信号送受信装置が故障した際、マルチプロトコルインターフェース装置による伝送品質モニタおよび下部伝送路からの警報信号により故障した前記アド／ドロップ信号送受信装置を特定し、その予備装置として前記」マルチプロトコルインターフェース装置を使用することを特徴とする請求項６または８のいずれかに記載の光ネットワークシステムの光分岐挿入装置。
【発明の詳細な説明】
【技術分野】
【０００１】
本発明は、  光ネットワークシステム、その光中継器及び光分岐挿入装置に関する。
【背景技術】
【０００２】
従来の波長多重光ネットワークにおいて、波長多重光信号の伝送品質を誤り率によりモニタする場合には、光信号を終端するノード装置においてのみであった（特許文献１参照）
また、従来の光ネットワークにおける伝送路中での誤り率モニタを行おうとした場合には、波長多重信号は単一種別の光信号で構成される場合がほとんどであり、比較的簡単に実現することができた。
【特許文献１】特開２００１−１３６１５４号公報
【発明の開示】
【発明が解決しようとする課題】
【０００３】
ユーザ信号の高速化と経済化に対する要求から、ユーザ信号をバックボーンの波長多重光ネットワークに直接収容する需要が見込まれている。この場合、バックボーンネットワークの波長多重光信号は、複数のビットレート・プロトコルの光信号で構成されることとなる。
また、ノード装置において終端されない光信号も混在することとなる。このような複数種別の光信号で構成された波長多重光信号に対して、従来技術では、伝送路中での各光信号の伝送品質を簡易にモニタすることができなかった。
【０００４】
本発明は、このような事情に鑑みてなされたものであり、伝送路中での波長多重光信号の各光信号の伝送品質を簡易にモニタすることができる光ネットワークシステム、光中継器及び光分岐挿入装置を提供することを目的とする。
【課題を解決するための手段】
【０００５】
上記目的を達成するために請求項１に記載の発明は、複数種別（ビットレート・プロトコル）の光信号で構成された波長多重光信号の送受信機能を有する波長多重ノード装置と、波長多重ノード装置間を接続する光伝送路と、光伝送路中での光損失を補償する光増幅中継器とを有する光ネットワークシステムにおいて、前記光増幅中継器は、前記光増幅中継器を通過する光信号の一部を分岐する光分岐手段と、前記光分岐手段により分岐された光信号のうち任意の光信号を選択する光信号選択手段と、プログラムのダウンロードにより複数種別の光信号を受信する機能を有するマルチレートインターフェース装置とを有し、該マルチレートインターフェース装置は、前記光信号選択手段により選択された光信号の伝送品質をモニタすることを特徴とする。
【０００６】
また、請求項２に記載の発明は、複数種別（ビットレート・プロトコル）の光信号で構成された波長多重光信号の送受信機能を有する波長多重ノード装置と、波長多重ノード装置間を接続する光伝送路と、光伝送路中で波長多重信号の分岐・挿入を行う光分岐挿入装置とを有する光ネットワークシステムにおいて、前記光分岐挿入装置は、該光分岐挿入装置を通過する光信号の一部を分岐する光分岐手段と、前記光分岐手段により分岐された光信号のうち任意の光信号を選択する光信号選択手段と、プログラムのダウンロードにより複数種別の光信号を受信する機能を有するマルチレートインターフェース装置と、光伝送路中で光多重信号信号から光信号を分岐し、または光信号を挿入するＯＡＤＭ光スイッチと、前記ＯＡＤＭ光スイッチにより分岐された光信号を下部伝送路に送出し、下部伝送路から入力された光信号をＯＡＤＭ光スイッチに送出するアド／ドロップ送受信装置とを有し、前記マルチレートインターフェース装置は、前記光信号選択手段により選択された光信号の伝送品質をモニタすることを特徴とする。
【０００７】
また、請求項３に記載の発明は、請求項１または２のいずれかに記載の光ネットワークシステムにおいて、前記マルチレートインターフェース装置は、あるプロトコルに対応するダウンロード済みプログラムに対して、モニタを行う複数の波長の光信号を、前記光信号選択手段を介して順次、取り込んで、伝送品質のモニタを行い、次いでプロトコルの解析ができなかった波長の光信号に対して対応する別のプログラムを再度ダウンロードし、残った波長の光信号を、再び前記光信号選択手段を介して順次、取り込んで伝送品質モニタを行い、この処理を伝送すべき前記複数の波長の光信号についてプロトコル解析ができるまで繰り返すことを特徴とする。
【０００８】
また、請求項４に記載の発明は、請求項２に記載の光ネットワークシステムにおいて、前記光分岐挿入装置は、前記ＯＡＤＭ光スイッチと、マルチレートインターフェース装置またはアド／ドロップ送受信装置との間の接続を切り替える第１の光スイッチと、前記マルチレートインターフェース装置またはアド／ドロップ信号送受信装置と、下部伝送路との間の接続を切り替える第２の光スイッチとを有し、前記アド／ドロップ信号送受信装置が故障した際、マルチプロトコルインターフェース装置による伝送品質モニタおよび下部伝送路からの警報信号により故障した前記アド／ドロップ信号送受信装置を特定し、その予備装置として前記」マルチプロトコルインターフェース装置を使用することを特徴とする。
【０００９】
また、請求項５に記載の発明は、複数種別（ビットレート・プロトコル）の光信号で構成された波長多重光信号の送受信機能を有する波長多重ノード装置と、波長多重ノード装置間を接続する光伝送路と、光伝送路中での光損失を補償する光増幅中継器とを有する光ネットワークシステムの光増幅中継器において、該光増幅中継器は、前記光増幅中継器を通過する光信号の一部を分岐する光分岐手段と、前記光分岐手段により分岐された光信号のうち任意の光信号を選択する光信号選択手段と、プログラムのダウンロードにより複数種別の光信号を受信する機能を有するマルチレートインターフェース装置とを有し、該マルチレートインターフェース装置は、前記光信号選択手段により選択された光信号の伝送品質をモニタすることを特徴とする。
【００１０】
また、請求項６に記載の発明は、複数種別（ビットレート・プロトコル）の光信号で構成された波長多重光信号の送受信機能を有する波長多重ノード装置と、波長多重ノード装置間を接続する光伝送路と、光伝送路中で波長多重信号の分岐・挿入を行う光分岐挿入装置とを有する光ネットワークシステムの光分岐挿入装置において、該光分岐挿入装置は、該光分岐挿入装置を通過する光信号の一部を分岐する光分岐手段と、前記光分岐手段により分岐された光信号のうち任意の光信号を選択する光信号選択手段と、プログラムのダウンロードにより複数種別の光信号を受信する機能を有するマルチレートインターフェース装置と、光伝送路中で光多重信号信号から光信号を分岐し、または光信号を挿入するＯＡＤＭ光スイッチと、前記ＯＡＤＭ光スイッチにより分岐された光信号を下部伝送路に送出し、下部伝送路から入力された光信号をＯＡＤＭ光スイッチに送出するアド／ドロップ送受信装置とを有し、前記マルチレートインターフェース装置は、前記光信号選択手段により選択された光信号の伝送品質をモニタすることを特徴とする。
【００１１】
また、請求項７に記載の発明は、請求項５に記載の光ネットワークシステムの光増幅中継器において、前記マルチレートインターフェース装置は、あるプロトコルに対応するダウンロード済みプログラムに対して、モニタを行う複数の波長の光信号を、前記光信号選択手段を介して順次、取り込んで、伝送品質のモニタを行い、次いでプロトコルの解析ができなかった波長の光信号に対して対応する別のプログラムを再度ダウンロードし、残った波長の光信号を、再び前記光信号選択手段を介して順次、取り込んで伝送品質モニタを行い、この処理を伝送すべき前記複数の波長の光信号についてプロトコル解析ができるまで繰り返すことを特徴とする。
【００１２】
また、請求項８に記載の発明は、請求項６に記載の光ネットワークシステムの光分岐挿入装置において、前記マルチレートインターフェース装置は、あるプロトコルに対応するダウンロード済みプログラムに対して、モニタを行う複数の波長の光信号を、前記光信号選択手段を介して順次、取り込んで、伝送品質のモニタを行い、次いでプロトコルの解析ができなかった波長の光信号に対して対応する別のプログラムを再度ダウンロードし、残った波長の光信号を、再び前記光信号選択手段を介して順次、取り込んで伝送品質モニタを行い、この処理を伝送すべき前記複数の波長の光信号についてプロトコル解析ができるまで繰り返すことを特徴とする。
【００１３】
また、請求項９に記載の発明は、請求項６または８のいずれかに記載の光ネットワークシステムの光分岐挿入装置において、前記光分岐挿入装置は、前記ＯＡＤＭ光スイッチと、マルチレートインターフェース装置またはアド／ドロップ送受信装置との間の接続を切り替える第１の光スイッチと、前記マルチレートインターフェース装置またはアド／ドロップ信号送受信装置と、下部伝送路との間の接続を切り替える第２の光スイッチとを有し、前記アド／ドロップ信号送受信装置が故障した際、マルチプロトコルインターフェース装置による伝送品質モニタおよび下部伝送路からの警報信号により故障した前記アド／ドロップ信号送受信装置を特定し、その予備装置として前記」マルチプロトコルインターフェース装置を使用することを特徴とする。
【発明の効果】
【００１４】
以上説明したように、本発明によれば、複数のビットレート・プロトコルの光信号で構成される波長多重信号を用いて、かつ、ノード装置において終端されない光信号も混在する波長多重光伝送システムに対して、伝送路中での各光信号の伝送品質を簡易にモニタすることが可能となり、システム故障時の故障点の特定が容易となる。
また、本発明によれば、ＯＡＤＭ装置内のAdd/Drop送受信装置の故障を容易に特定し、かつ迅速な故障対応が可能となる。
【発明を実施するための最良の形態】
【００１５】
以下、本発明の実施形態を、図面を参照して詳細に説明する。本発明の実施形態の説明に先立ち、本発明に係る光ネットワークシステムの基本構成を図１を参照して説明する。本発明に係る光ネットワークシステムでは、図１に示すように、光ファイバ伝送路１中に設けられたノード装置２において、光カプラ４により光信号の一部を分岐し、波長可変光フィルタもしくはＡＷＧと光スイッチを組み合わせた選択装置５により任意の光信号を選択した後、複数種別の光信号を受信することができるマルチレートインターフェース（ＩＦ）装置６により光信号の誤り率を測定することによって伝送品質をモニタする。
【００１６】
マルチレートインターフェース装置６は、複数種別のフレームを処理するプログラムを読み込み、書き換える機能、プログラムを保存してある場所、例えば、データセンタ３と通信を行い、プログラムをダウンロードする機能を有し、任意の種別の、光信号の誤り率を測定することが可能である。
【００１７】
本発明の第１実施形態に係る光ネットワークシステムの構成を図２に示す。同図において、第１実施形態に係る光ネットワークシステムは、複数種別（ビットレート・プロトコル）の光信号で構成された波長多重光信号の送受信機能を有する波長多重ノード装置１０、３０と、波長多重ノード装置１０、３０間を接続する光伝送路１と、光伝送路１中での光損失を補償する光増幅中継器２０とを有している。
【００１８】
波長多重ノード装置１０は、低速クライアント信号を多重化し、出力する電気多重装置１００と、電気多重装置１００の出力信号と高速クライアント信号とを光信号に変換し、波長多重化を行う波長多重化装置１０１とを有している。
また、波長多重ノード装置３０は、波長分離装置３００と、波長分離装置２００の出力から低速クライアント信号に分離する電気分離装置３０１とを有している。
【００１９】
光増幅中継器２０は、光像増幅器２００と、光増幅中継器２０を通過する光信号の一部を分岐する光分岐手段としての光カプラ２０１と、光カプラ２０１により分岐された光信号のうち任意の光信号を選択する光信号選択手段としての波長可変フィルタ２０２と、プログラムのダウンロードにより複数種別の光信号を受信する機能を有するマルチレートインターフェース（ＩＦ）装置２０３とを有し、該マルチレートインターフェース装置２０３は、前記光信号選択手段により選択された光信号の誤り率を測定し、伝送品質をモニタする機能を有している。
【００２０】
上記構成において、波長多重ノード装置１０において低速クライアント信号を電気多重装置１００により時分割多重して生成される高速光信号およびクライアント信号を直接収容した光信号などの複数種別（SDH（STM-16、STM-64）もしくはイーサネット（登録商標）（GbE、10GbE）等）の光信号で波長多重装置１０１により多重化される。
【００２１】
この波長多重信号は、光ファイバ伝送路１中に配置された光増幅中継器２０中の光カプラ２０１により一部を分岐され、該光カプラ２０１の後方に接続された波長可変光フィルタ２０２によりモニタを行う光信号が選択される。選択された光信号に対してマルチレートインターフェース装置２０３により誤り率が測定され、マルチレートインターフェース装置２０３は所望の光信号について伝送品質のモニタを行う。
【００２２】
次に、本発明の第２実施形態に係る光ネットワークシステムの構成を図３に示す。本実施形態に係る光ネットワークシステムが図２に示した第１実施形態に係る光ネットワークシステムと構成上、異なるのは、光増幅中継器２０の代りに光分岐挿入装置（ＯＡＤＭ装置）４０を設けた点であり、他の構成は同様であるので、同一の機能を有する要素には同一の符号を付し、重複する説明は省略する。
【００２３】
同図において、第２実施形態に係る光ネットワークシステムは、複数種別（ビットレート・プロトコル）の光信号で構成された波長多重光信号の送受信機能を有する波長多重ノード装置１０、３０と、波長多重ノード装置１０、３０間を接続する光伝送路１と、光伝送路１中で波長多重信号の分岐・挿入を行う光分岐挿入装置（ＯＡＤＭ装置）４０とを有する。
【００２４】
光分岐挿入装置４０は、光増幅器４００、４０６と、該光分岐挿入装置４０を通過する光信号の一部を分岐する光分岐手段としての光カプラ４０１と、光カプラ４０１により分岐された光信号のうち任意の光信号を選択する光信号選択手段としての波長可変光フィルタ４０２と、プログラムのダウンロードにより複数種別の光信号を受信する機能を有するマルチレートインターフェース装置４０３とを有している。
【００２５】
さらに、光分岐挿入装置４０は、光ファイバ伝送路１中で光多重信号信号から光信号を分岐し、または光信号を挿入するＯＡＤＭ光スイッチ（ＳＷ）４０４と、ＯＡＤＭ光スイッチ４０４により分岐された光信号を下部伝送路に送出し、下部伝送路から入力された光信号をＯＡＤＭ光スイッチ４０４に送出するアド／ドロップ送受信装置４０５とを有している。
マルチレートインターフェース装置４０３は、波長可変光フィルタにより選択された光信号の伝送品質をモニタする機能を有している。
【００２６】
上記構成において、波長多重ノード装置１０において低速クライアント信号を電気多重装置１００により時分割多重して生成される高速光信号およびクライアント信号を直接収容した光信号などの複数種別（SDH（STM-16、STM-64）もしくはイーサネット（登録商標）（GbE、10GbE）等）の光信号で波長多重装置１０１により多重化される。
【００２７】
この波長多重信号は、光ファイバ伝送路１中に配置された光分岐挿入装置（ＯＡＤＭ装置）４０中の光カプラ４０１により一部を分岐され、該光カプラ４０１の後方に接続された波長可変光フィルタ４０２によりモニタを行う光信号が選択される。選択された光信号に対してマルチレートインターフェース装置４０３により誤り率が測定され、マルチレートインターフェース装置４０３は所望の光信号について伝送品質のモニタを行う。
【００２８】
本発明の第３実施形態に係る光ネットワークシステムの構成を図４に示す。システム構成は、基本的には第１実施形態に係る光ネットワークシステムと同様であるが、第１実施形態とは、マルチレートインターフェース装置２０３の機能が異なる。すなわち、第３実施形態に係る光ネットワークシステムでは、マルチレートインターフェース装置２０３は、あるプロトコルに対応するダウンロード済みプログラムに対して、モニタを行う複数の波長の光信号を、光信号選択手段としての波長可変光フィルタ２０２を介して順次、取り込んで、伝送品質のモニタを行い、次いでプロトコルの解析ができなかった波長の光信号に対して対応する別のプログラムを再度ダウンロードし、残った波長の光信号を、再び波長可変光フィルタ２０２を介して順次、取り込んで伝送品質モニタを行い、この処理を伝送すべき前記複数の波長の光信号についてプロトコル解析ができるまで繰り返す。
【００２９】
これにより、全チャネルの光信号の伝送品質モニタを効率よく行うために、最も時間のかかるプログラムダウンロードの回数を減らすものである。例えば、伝送する波長多重信号が、プロトコル１、２、３の３種類のいずれかであるCh.1〜8の８波で構成される場合に、最初にCh.1のプロトコル１に対応するプログラムをダウンロードし、Ch.1の光信号の伝送品質をモニタした後、波長可変光フィルタにより全チャネルを掃引し、プロトコル１であるCh.2、Ch.5、Ch.7の光信号の伝送品質をモニタする。
【００３０】
この第３実施形態に係るマルチレートインターフェース装置２０３の機能を、第２実施形態におけるマルチレートインターフェース装置４０３に持たせるようにしてもよい。
次に、残ったCh.3のプロトコル２に対応するプログラムをダウンロードし、Ch.3の光信号の伝送品質をモニタした後、波長可変光フィルタ２０２により残りの全チャネルを掃引し、プロトコル２であるCh.4の光信号の伝送品質をモニタする。
【００３１】
次に、残ったCh.6のプロトコル３に対応するプログラムをダウンロードし、Ch.6の光信号の伝送品質をモニタした後、波長可変光フィルタ２０２により残りの全チャネルを掃引し、プロトコル３であるCh.8の光信号の伝送品質をモニタする。
【００３２】
次に、本発明の第４実施形態に係る光ネットワークシステムの構成を図５に示す。第４実施形態に係る光ネットワークシステムが第２実施形態に係る光ネットワークシステムと構成上、異なるのは、第２実施形態に係る光ネットワークシステムにおける光分岐挿入装置に対して、光スイッチを介して、マルチレートインターフェース装置とアド／ドロップ送受信装置とを切り替える機能を追加した点である。
【００３３】
すなわち、図５において、第４実施形態に係る光ネットワークシステムでは、光分岐挿入装置（ＯＡＤＭ装置）５０は、ＯＡＤＭ光スイッチ５０８と、マルチレートインターフェース装置５０５またはアド／ドロップ送受信装置５０６との間の接続を切り替える第１の光スイッチ（光ＳＷ１）と、マルチレートインターフェース装置５０５またはアド／ドロップ信号送受信装置５０６と、下部伝送路との間の接続を切り替える第２の光スイッチ（光ＳＷ２）５０７とを有し、アド／ドロップ信号送受信装置５０６が故障した際、マルチレートインターフェース装置５０５による伝送品質モニタおよび下部伝送路からの警報信号により故障したアド／ドロップ信号送受信装置を特定し、その予備装置としてマルチレートインターフェース装置５０５を使用する。
【００３４】
上記構成において、アド／ドロップ信号送受信装置５０６におけるドロップ側送受信装置が故障した場合、下部伝送路より警報信号が上がり、かつ、マルチレートインターフェース装置５０５によるモニタでは異常がないことから、光分岐挿入装置（ＯＡＤＭ装置）５０内のアド／ドロップ信号送受信装置５０６の故障を特定できる。
【００３５】
故障したアド／ドロップ信号送受信装置５０６の代わりにマルチレートインターフェース装置５０５を利用するために、ＯＡＤＭ光スイッチ５０８によりドロップされた光信号は、第１の光スイッチ５０４を介してマルチレートインターフェース装置５０５に入力され、対応するプロトコルにより終端した後、第２の光スイッチ５０７を介して下部伝送路へ送出される。
【００３６】
一方、アド側送受信装置の故障の場合、下部伝送路より入力した光信号は、第２の光スイッチ５０７を介してマルチレートインターフェース装置５０５に入力され、対応するプロトコルにより終端した後、第１の光スイッチ５０４を介してＯＡＤＭ光スイッチ５０８によりＷＤＭ信号にアド（add）される。第１の光スイッチ５０４、第２の光スイッチ５０７とマルチレートインターフェース装置５０５の入出力ポートを２×２の光スイッチで接続することにより、アド／ドロップ両方の信号に対して１つのマルチレートインターフェース装置で対応することも可能となる。
【図面の簡単な説明】
【００３７】
【図１】本発明に係る光ネットワークシステムの基本構成を示す図。
【図２】本発明の第１実施形態に係る光ネットワークシステムの構成を示す図。
【図３】本発明の第２実施形態に係る光ネットワークシステムの構成を示す図。
【図４】本発明の第３実施形態に係る光ネットワークシステムの構成を示す図。
【図５】本発明の第４実施形態に係る光ネットワークシステムの構成を示す図。
【符号の説明】
【００３８】
１…光ファイバ伝送路
１０、３０…波長多重ノード装置
２０…光増幅中継器
４０、５０…光分岐挿入装置（ＯＡＤＭ装置）
１００…電気多重装置
１０１…波長多重装置
２０１、４０１、５０２…光カプラ
２０２、４０２、５０３…波長可変光フィルタ
２０３、４０３、５０５…マルチレートインターフェース装置（マルチレートＩＦ）
３００…波長分離装置
３０１…電気分離装置
４０４、５０８…ＯＡＤＭ光スイッチ（ＯＡＤＭ光ＳＷ）
４０５、５０６…アド／ドロップ送受信装置（送受信装置）
【図１】
2005341161.tif 000003
【図２】
2005341161.tif 000004
【図３】
2005341161.tif 000005
【図４】
2005341161.tif 000006
【図５】
2005341161.tif 000007